(57)【要約】【課題】登記識別情報通知書等の公的書類を効率よく分類して整理する作業が極めて容易となる書類整理用台紙を提供することを目的とする。【解決手段】少なくとも３つ折りの基材シートの片方の基材シートを中央の基材シートに重なるよう折畳み、その底部を貼り合わせて収納部を形成するとともに、上記片方の基材シートに登記識別情報通知書等の公的書類を収納した状態でその要部が確認できる窓を設け、中央の基材シートを挟んで反対側の基材シートには適宜位置に収納ポケットを形成して、雑書類を収納できるようにしたことを特徴とする書類整理用台紙。【選択図】  図３
0003111221.tif 000002
【実用新案登録請求の範囲】
【請求項１】
少なくとも３つ折りの基材シートの片方の基材シートを中央の基材シートに重なるよう折畳み、その底部を貼り合わせて収納部を形成するとともに、上記片方の基材シートに登記識別情報通知書等の公的書類を収納した状態でその要部が確認できる窓を設け、中央の基材シートを挟んで反対側の基材シートには適宜位置に収納ポケットを形成して、雑書類を収納できるようにしたことを特徴とする書類整理用台紙。
【請求項２】
収納ポケットが、基材シートに設けた切込み、基材シートに収納口を設けて貼付した紙シートや透明プラスチックフィルム等から選ばれてなる請求項１に記載の書類整理用台紙。
【請求項３】
３つ折りの基材シートが、中央の基材シートを挟んで反対側の基材シートを延長して４つ折りとしてなる請求項１に記載の書類整理用台紙。
【考案の詳細な説明】
【技術分野】
【０００１】
この考案は書類整理用台紙に係り、さらに詳しくは、登記識別情報通知書等の公的書類を分類して整理するのに好適な書類整理用台紙に関する。
【背景技術】
【０００２】
従来から名刺等のカード類の整理、保存に適した綴じ込み可能な台紙が知られている。この種の台紙としては、例えば、実公平３−４７９０２号公報（特許文献１参照）等に示されるように、基シートの面に透明なフィルムを重合し、所定箇所に切り込み部と溶着部を設けることによってカード類を収納することのできるポケットを備えたものが存在する。
【特許文献１】実公平３−４７９０２号公報
【考案の開示】
【考案が解決しようとする課題】
【０００３】
しかしながら、実公平３−４７９０２号公報（特許文献１参照）に示されたカード類を収納することのできるポケットは透明フィルムからなるものであり、所定箇所に切り込み部と溶着部を設けたものであるため、製作に手間がかかりコストが高いという不都合があった。また従来構造では、カード類の出し入れを注意深く行わないと、カード類がポケットの出し入れ口を形成する切り込み部の端に引っ掛かる場合が多く、これによって、ポケットが切り込み部の端から破断するという不都合もあった。
【０００４】
この考案は、かかる従来例の不都合を改善するために案出されたものであり、その目的は登記識別情報通知書等の公的書類を分類して整理する作業が極めて効率的であり、かつ容易となる書類整理用台紙を提供することにある。
【課題を解決するための手段】
【０００５】
前記目的を達成するためこの考案の書類整理用台紙は、少なくとも３つ折りの基材シートの片方の基材シートを中央の基材シートに重なるよう折畳み、その底部を貼り合わせて収納部を形成するとともに、上記片方の基材シートに登記識別情報通知書等の公的書類を収納した状態でその要部が確認できる窓を設け、中央の基材シートを挟んで反対側の基材シートには適宜位置に収納ポケットを形成して、雑書類を収納できるようにしたことを特徴とするものである。
【０００６】
この考案の書類整理用台紙は、上記収納ポケットが、基材シートに設けた切込み、基材シートに収納口を設けて貼付した紙シートや透明プラスチックフィルム等から選ばれてなることをも特徴とするものである。
【０００７】
この考案の書類整理用台紙は、上記３つ折りの基材シートが、中央の基材シートを挟んで反対側の基材シートを延長して４つ折りとしたことをも特徴とするものである。
【考案の効果】
【０００８】
この構成においては、構造が簡単なので低コストで製作することができる。
また従来構造では、書類等の出し入れを注意深く行わないと、書類等がポケットの出し入れ口を形成する切り込み部の端に引っ掛かる場合が多く、これによって、ポケットが切り込み部の端から破断するという不都合があった。
【０００９】
しかしながらこの考案においてはかかる従来例の不都合がなく、登記識別情報通知書等の公的書類を効率よく分類して整理する作業が極めて容易となる書類整理用台紙を提供することができるようになった。
【考案を実施するための最良の形態】
【００１０】
以下、この考案に係る書類整理用台紙の実施の形態を、図面を参照しながら詳細に説明する。
図１は書類整理用台紙の１実施例を示す展開状態の正面図、図２はその断面図、図３は使用状態を示す展開状態の正面図である。
図１および図２において、書類整理用台紙１０は樹脂若しくは紙によってたわむことができる程度の長方形の基材シート１１からなっている。
そして、この基材シート１１は両側端部から中央に向けてそれぞれ二つ折りとし、それを中央で折り畳んで最終的に４つ折りにすることができるようになっている。
【００１１】
上記基材シート１１は、左側の基材シート１１−１を中央左の基材シート１１−２に重ねるよう折畳み、その底部を貼り合わせて収納部１２を形成している。この収納部１２には、登記識別情報通知書等の公的書類１３を収納する。その際、上記左側の基材シート１１−１に登記識別情報通知書等の公的書類１３を収納した状態でその要部が確認できる窓１４が設けられている。
この窓１４のサイズや位置は、登記識別情報通知書等の公的書類１３の要部と対応させることにより適宜決定することができる。
【００１２】
次に、上記左側の基材シート１１−１および中央左の基材シート１１−２の反対側には、さらに一対の中央右の基材シート１１−３および右側の基材シート１１−４が設けられている。そして中央右の基材シート１１−３には、適宜位置に収納ポケット１５を形成して雑書類１６を収納できるようにしてある。
なお、上記収納ポケット１５としては、上記基材シート１１−３に設けた切込み、基材シート１１−３に収納口を設けて貼付した紙シートや透明プラスチックフィルム等から適宜選ぶことができる。
【００１３】
上記右側の基材シート１１−４は強いて設ける必要はないが、中央右の基材シート１１−３を延長して４つ折りとし、中央右の基材シート１１−３に重ね合わせるようにしておくことが望ましい。
【００１４】
上記書類整理用台紙１０の使用に際しては、図３に示すように、予め左側の基材シート１１−１と中央左の基材シート１１−２を折畳み、その底部を貼り合わせて形成した収納部１２に登記識別情報通知書等の公的書類１３を両者の開口部分から差し込んで収納する。その際上記左側の基材シート１１−１に設けた窓１４から、登記識別情報通知書等の公的書類１３の要部を確認することができる。
【００１５】
基材シート１１の外表面側には適宜表題部１７や見出し部１８を貼付あるいは印刷等によって形成することができる。
【００１６】
上記基材シート１１−１，１１−２の底部を貼り合わせる手段としては、接着剤や両面粘着テープ、ヒートシール等の適宜手段を採用することが可能である。
【産業上の利用可能性】
【００１７】
この考案の書類整理用台紙は、登記識別情報通知書等の公的書類を分類して整理するのに好適であることはもちろん、他の書類やカード、写真等を収納するために使用することができる。
【図面の簡単な説明】
【００１８】
【図１】書類整理用台紙の１実施例を示す展開状態の正面図である。
【図２】その断面図である。
【図３】使用状態を示す展開状態の正面図である。
【符号の説明】
【００１９】
１０  書類整理用台紙
１１，１１−１，１１−２，１１−３，１１−４  基材シート
１２  収納部
１３  公的書類
１４  窓
１５  収納ポケット
１６  雑書類
１７  表題部
１８  見出し部
【図１】
0003111221.tif 000003
【図２】
0003111221.tif 000004
【図３】
0003111221.tif 000005